(57)【特許請求の範囲】
【請求項１】
煙突を構成する上側ユニットＡと下側ユニットＢを互いに接続するための、上側ユニットＡの下端部に取り付けられる第１接続環（４）と、下側ユニットＢの上端部に取り付けられる第２接続環（５）とからなり、前記第１接続環（４）の内周面が、前記第２接続環（５）の外周面に入れ子式に重畳する接続装置において、
前記第１接続環（４）の周壁内面には円周方向に等間隔に配置された複数個の内向き絞出し突起であって、その上面が水平面に対して傾斜している第１突起（８）を有し、
前記第２接続環（５）の周壁外面には円周方向に前記第１突起（８）と同数又は倍数の等間隔に配置された複数個の外向き絞出し突起であって、その下面が水平面に対して前記第１突起（８）の上面と同一の角度で接触するように傾斜した第２突起（９）を有し、
前記第２接続環（５）は水平な環状部分（１０）を有し、そこに前記第２突起（９）と同数の等間隔の位置決め穴（１７）が形成され、前記第１接続環（４）は前記第２接続環（５）の複数個の位置決め穴（１７）のいずれかに嵌合するようにばね偏移した位置決めピン（１３）を有し、前記位置決めピン（１３）が前記位置決め穴（１７）に嵌合する位置は、第１、第２突起（８、９）同士が正しい接続位置にある場合に対応した位置である、煙突の接続装置。
【請求項２】
前記第１接続環（４）の第１突起（８）と第２接続環（５）の第２突起（９）の数は等間隔で６〜１２個の範囲で同数である請求項１に記載の接続装置。
【請求項３】
第１接続環（４）の第１突起（８）の数を４〜６個とし、第２接続環（５）の第２突起（９）の数を第１突起（８）の数の２倍とした請求項１に記載の接続装置。
【請求項４】
前記位置決めピン（１３）は、前記位置決め穴（１７）に嵌合する際にクリック音を生じる手段を有する請求項１〜３の何れか一項に記載の接続装置。
【発明の詳細な説明】
【技術分野】
【０００１】
本発明は薪ストーブ等の煙突の構成区分（以下「ユニット」と称する）を互いに接続又は結合するための接続装置に関する。
【背景技術】
【０００２】
従来から薪ストーブ等の煙突のユニットを他のユニットに接続するための手段が提案されている。図１〜３は、互いを接続する接続装置を備えた２つのユニットＡ、Ｂの従来例を示す。
各ユニットＡ、Ｂはステンレス鋼等の金属板から制作した内側管１と外側管２の間に空洞を形成し、その空洞に断熱性・難燃性の鉱物繊維、粉末等３を充填し、この空洞をユニットＡの下端の第１接続環４（図１と図２参照）、ユニットＢの上端の第２接続環５（図１と図３参照）で閉鎖して構成されている。図１に示したユニットＡの下端とユニットＢの上端との突き合わせ状態で、ユニットＡの第１接続環４は、ユニットＢの第２接続環５に嵌合するように互いに入れ子式の構造を有する。第１接続環４の外周下端部には強化ビード７が形成され、第２接続環５の外周下端部には強化ビード６が形成されており、これ等のビードは両接続環の接続時に互いに接触してストッパの作用を持つ。
図２のように第１接続環４の内周面には切り起こしにより、右下に向けて傾斜する傾斜面８’を有する複数個のガイド兼用接続突起８が円周に沿って等間隔に設けられ、図３のように第２接続環５の外周面には切り起こしにより、右上に向けて傾斜する傾斜面９’を下側に有する複数個のガイド兼用接続突起９が円周に沿って等間隔に設けられている。なお、第１、第２接続環４、５をそれらの外部から眺めると図１のように傾斜面８’、９’は同じ角度で同じ方向（図では右上方向）に傾斜しており、互いに係合することに注意されたい。
そして上下ユニットＡ、Ｂの第１接続環４及び第２接続環５を互いに接続するには、第１接続環４の内周を第２接続環５の外周に嵌合させたのち両者を互いに右ねじを締める方向に回転することにより突起８、９の直線状のエッジ８’、９’同士を滑動させて第１接続環４と第２接続環５を互いの方向に引きつける。この時、ビード６、７が衝合して両接続環４、５からの煙の漏出をふせぐ。
【発明の概要】
【発明が解決しようとする課題】
【０００３】
上記の構成の従来例では、図２（ｃ）と図３（ｃ）に示したように、ガイド兼用接続突起８、９が切り起こしにより形成されているため傾斜面８’、９’が切断エッジとして存在し、空隙Ｇ１ 、Ｇ２から雨水の漏れ込みが生じる恐れがある。
従来例の他の問題は、ユニット同士の接続状態が外部から見えないので、施工時に接続が完全に行われているか否かの状態を正確に把握できない点である。
本発明はこうした問題を解決することを課題とする。
【課題を解決するための手段】
【０００４】
本発明は次の構成を有する煙突の接続装置を提供する。
１）煙突を構成する上側ユニットＡと下側ユニットＢを互いに接続するための、上側ユニットＡの下端部に取り付けられる第１接続環（４）と、下側ユニットＢの上端部に取り付けられる第２接続環（５）とからなり、前記第１接続環（４）の内周面が、前記第２接続環（５）の外周面に入れ子式に重畳する接続装置において、
前記第１接続環（４）の周壁内面には円周方向に等間隔に配置された複数個の内向き絞出し突起であって、その上面が水平面に対して傾斜している第１突起（８）を有し、
前記第２接続環（５）の周壁外面には円周方向に前記第１突起（８）と同数又は倍数の等間隔に配置された複数個の外向き絞出し突起であって、その下面が水平面に対して前記第１突起（８）の上面と同一の角度で接触するように傾斜した第２突起（９）を有し、
前記第２接続環（５）は水平な環状部分（１０）を有し、そこに前記第２突起（９）と同数の等間隔の位置決め穴（１７）が形成され、前記第１接続環（４）は前記第２接続環（５）の複数個の位置決め穴（１７）のいずれかに嵌合するようにばね偏移した位置決めピン（１３）を有し、前記位置決めピン（１３）が前記位置決め穴（１７）に嵌合する位置は、第１、第２突起（８、９）同士が正しい接続位置にある場合に対応した位置である、煙突の接続装置。
２）前記１）において、前記第１接続環（４）の第１突起（８）と第２接続環（５）の第２突起（９）の数は等間隔で６〜１２個の範囲で同数である接続装置。
３）前記１）において、第１接続環（４）の第１突起（８）の数を４〜６個とし、第２接続環（５）の第２突起（９）の数を第１突起（８）の数の２倍とした、接続装置。
４）前記１）〜３）の何れかにおいて、位置決めピン（１３）は、前記位置決め穴（１７）に嵌合する際にクリック音を生じる手段を有する接続装置。
なお、前記第１接続環（４）は、前記第２接続環（５）の複数個の位置決め穴（１７）のいずれかに嵌合するように１個のばね偏移した位置決めピン（１３）を有するものとすることができる。
【発明の効果】
【０００５】
本発明では、ガイド兼用接続突起には切り起こし部分がなく、絞り成形より形成されているため通気性の隙間がなく、煙突が屋外に突出した部分でも雨水が侵入するおそれがなない。
さらに、ユニット同士の接続又は接続状態が外部から見えないにも拘らず、ばね偏移した位置決めピンが位置決め穴のいずれかに嵌合すればクリック音が聴取でき、施工時に煙突ユニット間の接続が完全であることが確実に判断できる利点が得られる。
位置決め穴は６〜１２個以上設けることにより６０度以内の回転で確実に環状接続環の正しい位置決めができ且つ確認できる。
第１接続環（４）の突起（８）の数を４〜６個とし、第２接続環（５）の突起（９）の数を突起（８）の数の２倍にすると小さい４５度以内の回転で環状接続環の接続を確実に実行し、また取り外しも能率的に実施できる。
【図面の簡単な説明】
【０００６】
【図１】従来の煙突の接続装置の構成図である。
【図２】従来の煙突の接続装置の第１接続環を示し、（ａ）は一部を破断した正面図、（ｂ）は同底面図、（ｃ）は（ａ）のＡ−Ａ線断面図である。
【図３】従来の煙突の接続装置の第２接続環を示し、（ａ）は一部を破断した正面図、（ｂ）は同平面図、（ｃ）は（ａ）のＡ−Ａ線断面図である。
【図４】本発明の煙突の接続装置の構成図である。
【図５】本発明の煙突の接続装置の第１接続環を示し、（ａ）は一部を破断した正面図、（ｂ）は同底面図、（ｃ）は（ａ）のＡ−Ａ線断面図である。
【図６】本発明の煙突の接続装置の第２接続環を示し、（ａ）は一部を破断した正面図、（ｂ）は同平面図、（ｃ）は（ａ）のＡ−Ａ線断面図である。
【図７】本発明の位置煙突の接続装置の適正な設定位置の感知と固定を行う設定位置感知兼保持装置の正面図である。
【図８】図７に示した設定位置感知兼保持装置の断面図である。
【実施例】
【０００７】
本発明の薪ストーブ等の煙突のユニットＡを他のユニットＢに接続するための接続装置の実施例を図４〜８を参照して詳しく説明する。図１〜３の参照符号に対応する部分又は部材は実施例でも同じ参照符号を用いることにする。
各ユニットＡ、Ｂはステンレス鋼等の金属板から制作した内側管１と外側管２の間に空洞を形成し、その空洞に断熱性・難燃性の鉱物繊維、粉末等３を充填し、この空洞をユニットＡの下端の第１接続環４（図４と図５参照）、ユニットＢの上端の第２接続環５（図４と図６参照）で閉鎖して構成されている。図４に示したように、ユニットＡの下端とユニットＢの上端との突き合わせ状態で、ユニットＡの第１接続環４は、ユニットＢの第２接続環５に嵌合するように互いに入れ子式の構造を有する。第１接続環４の外周下端部には強化ビード７が形成され、第２接続環５の外周下端部には強化ビード６が形成されており、これ等のビードは両接続環の接続時に互いに衝合する。
【０００８】
図５のように第１接続環４の外周壁の内面には、絞り成形により、内周側から見て右下に向けて傾斜する傾斜面８’を上側に有する複数個のガイド兼用接続突起８が円周に沿って等間隔に設けられる。一方、図６のように第２接続環５の外周壁の外面には、絞り成形により、外周側から見て右上に向けて傾斜する傾斜面９’を下側に有する複数個のガイド兼用接続突起９が円周に沿って等間隔に設けられている。突起８、９を両接続環４、５の外部から眺めるとすると（突起８は外側からは見えないが）、傾斜面８’、９’は同じ角度で同じ方向（図４では右上方向）に傾斜させてあるので、傾斜面８’、９’は接続操作中に互いに衝合した滑り面を形成することに注意されたい。またビード６、７が両接続環４、５の外周下端に形成されており、両接続環４、５を互いに回転させて所定位置に締着したときに衝合して煙突からの煙の漏出を防ぐ。
また図５の実施例では第２接続環５の突起９の数は１２個であるが、突起９の数を第１接続環４のそれと同数の６個も可能であるが、前者の方が良いことは後で述べる。
一般的には、接続作業時の回転角度を小さくする考慮から、第１接続環４の突起８と第２接続環５の突起９の数を同一にする場合には６〜１２個、第１接続環４の突起８の数の倍数を第２接続環５の突起９の数とする場合には、突起８を４〜６個とし、突起９の数をその倍数とすると良い。前者では接続作業における最大の回転角度が約６０度、後者では最大約４５度となる。すなわち、突起９の数を突起８の数の倍数にすると、突起８の数を増やさなくても取り付けに要する回転角度が小さくなり、加工が容易になり、また取り付け作業能率が上がる。
【０００９】
上下ユニットＡ、Ｂの第１接続環４及び第２接続環５を互いに接続するには、第１接続環４の内周を第２接続環５の外周に嵌合させたのち両者を互いに右ねじを締める方向に回転することにより突起８、９の傾斜面８’、９’同士を滑動させて第１接続環４と第２接続環５を互いの方向にひきつける。この時、ビード６、７が両接続環４、５の外周下端に形成されており、両接続環４、５を互いに回転させて所定位置に締着したときにビード６、７は互いに衝合する。
本発明のこの構造によると、従来のガイド兼用接続突起８、９が切り起こしにより形成され、傾斜面８’、９’のところに空隙Ｇ１、Ｇ２（図２（ｃ）〜図３（ｃ）参照）が生じ雨水の漏れ込みを生じた問題が解消される。
【００１０】
第１接続環４の突起８と第２接続環５の突起９の数は等間隔でかつ６〜１２個の範囲で同数であるか、又は第１接続環４の突起８を６個とし、同時に第２接続環５の突起９をその２倍の１２個とすることが好ましい。前者の場合、両接続環の接続は最大で６０〜３０度の回転で完了するが、後者の場合、両種の突起８と突起９の接続数は６個であるが、両接続環の接続が両者の相対回転角度は突起９の数できまるので、回転を最大で３０度で済むので、取り付け工事の作業性が改善される利点がある。
【００１１】
次に、図４〜８を再び参照して、本発明の他の特徴である位置決め用の第１突起８と第２突起９を詳しく説明する。
図５に示したように、第１接続環４はほぼ逆Ｕ字形に形成されており、水平な環状部分１０には一か所に貫通穴１１が形成されている。図４に示したように上側ユニットＡには第１接続環４の貫通穴１１に伸縮自在に嵌合する位置決めピン１３を備えたピン装置１２が接着剤、鋲止め、ねじ止め等の固着手段により支持されている。
図７〜８の詳細図に示したように、ピン装置１２は、第１接続環４の水平な環状部分１０に形成した貫通穴１１を通して下方に延びる先端１３’とばねの作用を受けるつば１３”とを有するピン１３、圧縮ばね１４、ばねケース１５、及びばね押え１６から構成されている。つば１３”はクリック音を得るために設けてある。
【００１２】
図６に示したように、第２接続環５の頂部はほぼ逆Ｕ字形に形成されており、水平な環状部分１０には円周方向に等間隔に、第１接続環４に形成した貫通孔から進退する位置決めピン１３の先端１３’を受け入れる位置決め穴１７が形成されている。位置決め穴１７の数は第２接続環５に形成した突起９と同数にする。この実施例では１２個である。位置決めピンが前記位置決め穴に嵌合する位置は、絞出し突起８、９同士が正しい接続位置にある場合に対応した位置に定める。
【００１３】
［作用］
組み立てに当たり、第１接続環４をユニットＡの下側に固定し、第２接続環５を下側ユニットＢの上側に固定し、次いで両者を嵌合させ、図４の中央部のように、第１接続環４と第２接続環５を右ねじの方向に回転させると、第１接続環４の突起８と第２接続環５の突起９が傾斜面８’と９’で互いにスライドするとともに互いに引き寄せて固定力を強め、正しい接続位置でばね偏移した位置決めピン１３の先端１３’が位置決め穴１７にクリック音を発しながら嵌合する。こうして第１接続環４と第２接続環５同士の接続状態が外部から見えないにも拘らず、ばね偏移した位置決めピンがいずれか１つの位置決め穴１７に嵌合すればクリック音が聴取でき、施工時に煙突ユニット間の接続が完全であることが確実に判断できる利点が得られる。クリック音はつば１３”とばねケース１５の接触部の形状と寸法を調整して向上させることができる。
【符号の説明】
【００１４】
Ａ  ユニット
Ｂ  ユニット
１  内側管
２  外側管
３  断熱性・難燃性の鉱物繊維、粉末等
４  第１接続環
５  第２接続環
６  強化ビード
７  強化ビード
８  ガイド兼用接続突起
８’  傾斜面
９  ガイド兼用接続突起
９’  傾斜面
１０  水平な環状部分
１１  貫通穴
１２  位置決めピン装置
１３  位置決めピン
１３’  先端
１３”  つば
１４  圧縮ばね
１５  ばねケース
１６  ばね押え
１７  位置決め穴
【図１】
0005918001.tif 000002
【図２】
0005918001.tif 000003
【図３】
0005918001.tif 000004
【図４】
0005918001.tif 000005
【図５】
0005918001.tif 000006
【図６】
0005918001.tif 000007
【図７】
0005918001.tif 000008
【図８】
0005918001.tif 000009